(57)【特許請求の範囲】
【請求項１】
一対の水平偏向コイルと一対の垂直偏向コイルを備えるとともに、前記水平偏向コイルと前記垂直偏向コイルの間の絶縁を主な目的とする樹脂製絶縁枠を有し、前記絶縁枠の電子銃側端部に磁性体片を取り付ける溝状構造をＣＲＴ画面の対角線方向に４箇所上下対称に設けた偏向ヨーク装置であって、
前記溝状構造の深さが前記磁性体片の厚みより深く形成されるとともに、前記磁性体片には上面に凸構造が設けられ、前記磁性体片を前記溝状構造に挿入したとき、該凸構造が前記溝状構造の溝の上面を構成する蓋状部材の空き部分と嵌合することにより、前記溝状構造が前記磁性体片を挟み込んで固定することを特徴とする偏向ヨーク装置。
【発明の詳細な説明】
【０００１】
【産業上の利用分野】
本発明は、テレビジョン受像機等に用いられる偏向ヨーク装置に関するものである。
【０００２】
【従来の技術】
近年、ＣＲＴディスプレイやテレビジョン受像機の大型化，フラットフェース化により、ＣＲＴ画面上での画歪は増大する方向にあり、画歪のゆがみの少ない偏向ヨーク装置が求められている。
【０００３】
以下、従来の偏向ヨーク装置について図６，図７［以下、これを『従来例』という］を参照しながら説明する。全ての図面において、同一符号は同一若しくは相当部材を示す。
【０００４】
図６は、従来例の偏向ヨークの各部の構成を示す斜視図である。
図６に示す様に樹脂製絶縁枠３は２分割された構造になっており、一対の水平偏向コイル４を絶縁枠３のラッパ状部分の内側に挟み込む様にして一対の枠３を組合せ、ラッパ状部分の外側に垂直偏向コイル２を組み合せることで偏向ヨークを構成している。
【０００５】
図７は、従来例の偏向ヨークの側面図である。図６において、１は垂直偏向コイル、２は垂直偏向コイル１を巻いているトロイダルコア、３は垂直偏向コイル１と水平偏向コイル［図７では図示せず、図８で後述する］を絶縁している絶縁枠である。
【０００６】
図８は、従来例の偏向ヨークの正断面図である。図８において、管軸と垂直方向のＣ−Ｃ平面で切断し、矢視Ｄ方向から見た正面の断面図で、４は水平偏向コイルである。
【０００７】
以上の様に構成された偏向ヨークについて、以下にその動作について説明する。
【０００８】
偏向ヨークの水平偏向コイル４は図９に示す様な水平偏向磁界が生じ、電子ビームに水平方向へ偏向させる力を与える。図９において、５は水平偏向磁界、６は電子ビーム、７は水平偏向磁界５により電子ビーム６の受ける力とその方向を表す。
【０００９】
また、垂直偏向コイルは図１０に示す様な垂直偏向磁束が生じ、電子ビームに垂直方向へ偏向させる力を与える。図７において、８は垂直偏向磁界、９は垂直偏向磁界により電子ビーム６の受ける力とその方向を表す。
【００１０】
図９，図１０に示した水平偏向磁界５と垂直偏向磁界８が規則的に変化することにより、電子ビーム６はＣＲＴの全画面上へ偏向され、ＣＲＴの表示が可能となる。
【００１１】
【発明が解決しようとする課題】
しかしながらこの従来例の偏向ヨークでは、ＣＲＴ画面上での画歪のゆがみは、水平偏向磁界と垂直偏向磁界の２つの磁界の対称性によって決まり、２つの磁界が完全に上下左右対称的であれば、ゆがみのない画面が得られるけれども、上下左右で非対称な磁界になると、画面がゆがむという問題点を有していた。
【００１２】
本発明は、上記の従来例の問題点を解決するもので、偏向ヨークの作る磁界の上下左右非対称から生じるＣＲＴ画面上での、画歪のゆがみを修正する磁性体片を容易に装着することのできる偏向ヨーク装置を提供することを目的とする。
【００１３】
【課題を解決するための手段】
この目的を達成するために、絶縁枠の電子銃側端部に磁性体片を取り付ける溝状構造をＣＲＴ画面の対角線方向に４箇所上下対称に設けた偏向ヨーク装置であって、溝状構造の深さが磁性体片の厚みより深く形成されるとともに、磁性体片には上面に凸構造が設けられ、磁性体片を溝状構造に挿入したとき、該凸構造が溝状構造の溝の上面を構成する蓋状部材の空き部分と嵌合することにより、溝状構造が磁性体片を挟み込んで固定するという手段を講じている。
【００１４】
【作用】
本発明は、上記のように構成したことにより、偏向ヨークの作る磁界が上下，左右非対称となった場合、偏向ヨークの電子銃側端部に設けた溝に磁界の対称性を直す方向に磁性体を挿入し、磁界の対称性を修正することによって、ＣＲＴ画面上での画歪のゆがみを直すことができる。そして、溝状構造が磁性体片を挟み込んで容易に固定することができる。
【００１５】
【実施例】
以下、本発明の各実施例について、図面を参照しながら説明する。
【００１６】
図１１はＣＲＴ画面におけるゆがみの無い画歪の説明図で、先の図８及び図９，図１０で説明した上下左右対称な形をしており、この様な磁界で偏向された場合のＣＲＴ画面上の画歪も、上下左右対称となり、画歪のゆがみは生じない。
【００１７】
然しながら例えば図１２に示す様に、垂直偏向磁界８が非対称な場合は、図１３に示す様に、ＣＲＴ画面上の画歪は平行四辺形にゆがんだものになる。この磁界の非対称の主な原因は、コイル１，４の巻線時の左右での巻線のズレと、コイル１，４組立時の取り付けのズレであるが、偏向ヨークが既に組み立てられた後では、コイル１，４の巻線のズレや組立て時のズレを直すことは不可能なので、コイル１，４外より磁性体片を用いて磁界の形を対称に戻す手段を用いる。
【００１８】
図１は、本発明の一実施例における偏向ヨークの電子銃側端部に設けた溝状構造を示す斜視図である。図１における１１は磁性体片を取り付ける溝状構造で、図１に示す様にＣＲＴ画面の対角線方向に４箇所、同一の溝状構造を形成している。
【００１９】
図１３に示す様な画歪のゆがみが生じている場合、偏向ヨークの生じる磁界は図１２に示す様に非対称になっているのであるが、この場合は図２に示す様に磁性体片１２，１３を絶縁枠３の溝状構造１１に取り付ける。
【００２０】
磁性体片１２，１３により磁界は対称な形になり、画面は図１１に示す様なゆがみのない形になる。
【００２１】
使用する磁性体は、例えば珪素を３％程度含有する珪素鋼板が加工し易く、最適であるが、フェライトやアモルファス等磁性体であれば、同様の効果が得られる。取り付ける磁性体の長さや、溝状構造１１に挿入する深さによって磁性体による歪みの変化量を可変とすることができる。
【００２２】
以下、本発明の実施例の詳細について説明する。既に説明したのと同様に、偏向磁界の非対称を直し、画歪のゆがみを直す為に、磁性体片を取り付ける溝状構造を、図３に示すように上下２段の構成とする。
【００２３】
図３において、１４は磁性体片１５を取り付ける溝状構造であり、通常はどちらか片方に磁性体片１５を挿入するのであるが、偏向磁界の非対称が大きく磁性体片１５を１枚では直し切れない場合には、図４に示す様に磁性体片１５を上下２段以上に取り付ける。
【００２４】
すなわち、本実施例は偏向ヨークの電子銃側端部に磁性体片１５を取り付ける溝状構造１４を有する偏向ヨークであって、溝状構造１４の深さを磁性体片１５の厚みより深くし、溝状構造１４での溝の上面を構成する蓋状部材の空き部分と嵌合する磁性体片１５の上面に設けた凸構造によって、溝状構造１４が磁性体片１５を挟み込んで、磁性体片１５を固定するものである。
【００２５】
さらに、本発明の変形例として下記の手段がある。先の一実施例で説明したのと同様に偏向磁界の非対称を直し、画歪のゆがみを直す為に磁性体を取り付ける溝状構造を作る際、溝状構造は樹脂成形品である為、その製作には成形用金型を使用する。その溝状構造を成形するには、金型を溝状構造の深さに相当する厚さの板に加工する必要があるが、通常溝状構造の深さは、つまり取り付ける磁性体の厚みは０．５ｍｍ程度なので、金型も０．５ｍｍ程度の厚さにする必要がある。しかしながら、金型を０．５ｍｍ程度に加工するのは加工上行い難いので、溝状構造の構成を図５に示す様にする。
【００２６】
図５において、１６は第２の溝状構造１７の底部に設けた第２の凸構造で、第２の溝状構造１７の深さＡは取り付ける磁性体［不図示］の厚さより大きいが、第２の溝状構造１７の上面と第２の凸構造１６部の間の寸法Ｂを磁性体と同一の厚さにすることにより、磁性体がぐらつかず取り付けることができる。
【００２７】
つまり、本変形例は偏向ヨークの電子銃側端部に磁性体片を取り付ける第２の溝状構造１７を有する偏向ヨークであって、第２の溝状構造１７の深さを磁性体片の厚みより深くし、第２の溝状構造１７での溝の底面に第２の凸構造１６を有し、第２の凸構造１６と当接する磁性体片１５［不図示］の底面によって、第２の溝状構造１７が磁性体片１４を挟み込んで磁性体片１５を固定する偏向ヨーク装置である。
【００２８】
本変形例では第２の凸構造１６を第２の溝状構造１７の底面側に１本設けたが、第２の凸構造部を溝状構造の上面側に設けても良く、また第２の凸構造を複数本設けても良い。
【００２９】
【発明の効果】
以上の説明から明らかなように、本発明は、偏向ヨークの水平偏向コイルと垂直偏向コイルの絶縁を目的とする樹脂製絶縁枠の、電子銃側端部に磁性体片を取り付ける構造を、４箇所対称に設けることにより、水平偏向磁界・垂直偏向磁界の非対称を直し、画歪のゆがみを修正することのできる偏向ヨーク装置の提供が可能という特段の効果を奏することができる。
【００３０】
さらに、溝状構造の深さを磁性体片の厚みより深くして、磁性体片の上面に凸構造を設け、この凸構造が溝状構造の蓋状部材の空き部分と嵌合することにより、溝状構造が磁性体片を挟み込んで容易に固定することができる効果もある。
【図面の簡単な説明】
【図１】本発明の一実施例における偏向ヨークの電子銃側端部に設けた溝状構造を示す斜視図
【図２】本発明の一実施例における溝状構造に磁性体を取り付けた状態を表す平面図
【図３】本発明の他の実施例の部分的構成を示す斜視図［２段溝状構造］
【図４】本発明の他の実施例の部分的構成を示す斜視図［２段溝状構造の凸構造の磁性体片を取り付けた構成図］
【図５】本発明の変形例の部分的構成を示す斜視図［溝状構造の底部に第２の凸構造を有し、磁性体片（不図示）の底部に当接する溝状構造第２の凸構造によって、溝状構造と磁性体片との接合を強固にした取り付け構成図］
【図６】従来例の偏向ヨークの各部の構成を示す斜視図
【図７】従来例の偏向ヨークの側面図
【図８】従来例の偏向ヨークの正断面図
【図９】偏向ヨークにおける垂直磁界の説明図
【図１０】偏向ヨークにおける水平磁界の説明図
【図１１】ＣＴＲ画面におけるゆがみの無い画歪の説明図
【図１２】従来例の垂直磁界の説明図
【図１３】従来例のゆがみの有る画歪の説明図
【符号の説明】
１  垂直偏向コイル
２  トロイダルコア
３  絶縁枠
４  水平偏向コイル
５  水平偏向磁界
６，９  電子ビーム
７，１０  電子ビームが受ける力とその方向
８  垂直偏向磁界
１１，１４  溝状構造
１２，１３，１５  磁性体片
１６  第２の凸構造
１７  第２の溝状構造
【図１】
0003541506.tif 000002
【図２】
0003541506.tif 000003
【図３】
0003541506.tif 000004
【図４】
0003541506.tif 000005
【図５】
0003541506.tif 000006
【図６】
0003541506.tif 000007
【図７】
0003541506.tif 000008
【図８】
0003541506.tif 000009
【図９】
0003541506.tif 000010
【図１０】
0003541506.tif 000011
【図１１】
0003541506.tif 000012
【図１２】
0003541506.tif 000013
【図１３】
0003541506.tif 000014